(57)【要約】【課題】どのチャネルからでも通信種別を簡易に切替えることができ、希望のチャネルへの操作回数を大幅に減らすことが可能な無線通信端末を提供する。【解決手段】チャネル制御部は、チャネルアップスイッチ１３、チャネルダウンスイッチ１４が単独で操作された場合には１チャネルずつチャネルアップ／チャネルダウンの処理を行い、特定スイッチ１２が押下されたままチャネルアップスイッチ１３又はチャネルダウンスイッチ１４が操作されることで通信種別を変更する。上記通信種別の変更処理後、特定スイッチ１２が押下されたままチャネルアップスイッチ１３又はチャネルダウンスイッチ１４が操作されると、そのとき設定されている通信方式を維持したまま、チャネル変更幅を１０チャネルに増幅してチャネルアップ／ダウンの処理を行い、その後、同操作が行われる毎に同処理を繰り返し、最大チャネル／最小チャネルで変更処理を停止する。【選択図】図１
2011223522.tif 000002
【特許請求の範囲】
【請求項１】
アナログ通信及びデジタル通信を行う無線通信端末であって、
通信チャネルを変更するチャネル変更操作部と、チャネル変更以外の処理を行う他の操作部とを具備し、
前記チャネル変更操作部と前記他の操作部と同時に操作することにより前記アナログ通信とデジタル通信の通信種別を切替えることを特徴とする無線通信端末。
【発明の詳細な説明】
【技術分野】
【０００１】
本発明は、アナログ通信方式及びデジタル通信方式を有する無線通信端末に関する。
【背景技術】
【０００２】
現在、無線通信システムにおいては、アナログＦＭ方式簡易無線のデジタル化が進められているが、デジタル方式への完全移行が完了するまで、アナログ通信方式とデジタル通信方式の併用期間が設けられている。
既にアナログＦＭ方式で運用しているユーザがデジタル方式へ移行するにあたり、移行期間中に、アナログ通信方式とデジタル通信方式の両方が使用可能な無線通信端末が開発されている（例えば、特許文献１参照。）。
【０００３】
アナログＦＭ通信方式の場合、ＵＨＦの周波数帯にはチャネルが最大３５波割り当てられている。デジタル通信方式は、その中にも通信方式が何種類か存在するが、その中のひとつの方式である４値ＦＳＫ（frequency shift keying：周波数偏位変調方式）の場合、ＵＨＦの周波数帯にはチャネルが最大６５波割り当てられている。
【０００４】
簡易無線通信端末はこれら全てのチャネルが使用可能であるため、チャネル１〜３５にアナログ通信方式３５波を実装し、チャネル３６〜１００にデジタル通信方式の６５波を実装する事により、チャネルを切替える事で、アナログ通信方式とデジタル通信方式を併用して運用する。
【０００５】
無線通信端末は、一般にチャネルアップスイッチ及びチャネルダウンスイッチを備え、チャネルアップスイッチを押下する事でチャネルをアップし、チャネルダウンスイッチを押下する事でチャネルをダウンする。
図１２は従来の無線通信端末におけるチャネル変更方法を示す図である。
【０００６】
従来の無線通信端末は、チャネルを変更する場合、チャネルアップスイッチまたはチャネルダウンスイッチを押下する事により、現在選択中のチャネルから順番にチャネルを変更し、意図するチャネルへ遷移している。
【先行技術文献】
【特許文献】
【０００７】
【特許文献１】特開２００２−２４６９４４号公報
【発明の概要】
【発明が解決しようとする課題】
【０００８】
しかし、上記従来の無線通信端末では、多数の通信用チャネルが実装された場合、例えばアナログ通信用チャネルが３５チャネル（アナログｃｈ１〜アナログｃｈ３５）とデジタル通信用チャネルが６５チャネル（デジタルｃｈ１〜デジタルｃｈ６５）（合計１００チャネル）実装された場合、次の様な問題がある。
【０００９】
（１）通信種別（アナログ通信とデジタル通信）を切替える時の操作回数が多い。例えば図１３に示すように、デジタル通信のデジタルｃｈ３３からアナログ通信のチャネル（アナログｃｈ１あるいはアナログｃｈ３５）へ切替える場合、通常のチャネルアップスイッチ及びチャネルダウンスイッチのみの操作では、アップ方向（アナログｃｈ１方向）へもダウン方向（アナログｃｈ３５方向）へも最大３３回のチャネル変更操作をしなければならない。
【００１０】
（２）希望のチャネルに遷移するための操作回数が多い。例えば図１４に示すように、アナログｃｈ１からデジタルｃｈ１６へ切替える場合、通常のチャネルアップスイッチ及びチャネルダウンスイッチのみの操作では、アップ方向へもダウン方向へも最大５０回のチャネル変更操作をしなければならない。
【００１１】
上記のようにアナログ通信用チャネル及びデジタル通信用チャネルが多数実装されている従来の無線通信端末では、アナログ通信とデジタル通信の通信種別を切替える時の操作回数が多く、また、希望のチャネルに遷移するための操作回数が多いという問題がある。
【００１２】
本発明は上記の課題を解決するためになされたもので、どのチャネルからでも、通信種別の切替えを簡易操作で実現でき、希望のチャネルへの操作回数を大幅に減らすことが可能な無線通信端末を提供することを目的とする。
【課題を解決するための手段】
【００１３】
本発明は、アナログ通信及びデジタル通信を行う無線通信端末であって、通信チャネルを変更するチャネル変更操作部と、チャネル変更以外の処理を行う他の操作部とを具備し、前記チャネル変更操作部と前記他の操作部と同時に操作することにより前記アナログ通信とデジタル通信の通信種別を切替えることを特徴とする。
【発明の効果】
【００１４】
本発明によれば、チャネル変更操作部を他の操作部と同時に操作することにより、どのチャネルからでも、アナログ通信とデジタル通信の通信種別を簡易な操作で容易に切替えることができ、希望のチャネルへの操作回数を大幅に減らすことができる。
【図面の簡単な説明】
【００１５】
【図１】本発明の実施例１に係る無線通信端末の概略構成図である。
【図２】同実施例１におけるチャネルアップ操作による通信種別変更（アナログ通信→デジタル通信）の処理動作を示す図である。
【図３】同実施例１におけるチャネルアップ操作による通信種別変更（デジタル通信→アナログ通信）の処理動作を示す図である。
【図４】同実施例１におけるチャネルダウン操作による通信種別変更（アナログ通信→デジタル通信）の処理動作を示す図である。
【図５】同実施例１におけるチャネルダウン操作による通信種別変更（デジタル通信→アナログ通信）の処理動作を示す図である。
【図６】同実施例１におけるチャネルアップ操作によるチャネル変更幅増幅（デジタル通信）の処理動作を示す図である。
【図７】同実施例１におけるチャネルアップ操作によるチャネル変更幅増幅（アナログ通信）の処理動作を示す図である。
【図８】同実施例１におけるチャネルダウン操作によるチャネル変更幅増幅（デジタル通信）の処理動作を示す図である。
【図９】同実施例１におけるチャネルダウン操作によるチャネル変更幅増幅（アナログ通信）の処理動作を示す図である。
【図１０Ａ】同実施例１におけるチャネル制御部の通信種別変更の処理動作を示すフローチャートである。
【図１０Ｂ】同実施例１におけるチャネル制御部のチャネル変更高速化の処理動作を示すフローチャートである。
【図１１】同実施例１におけるチャネル操作回数を説明するための図である。
【図１２】従来の無線通信端末におけるチャネル変更方法を示す図である。
【図１３】従来の無線通信端末におけるデジタル通信のチャネルからアナログ通信のチャネルへ切替える場合の操作方法を示す図である。
【図１４】従来の無線通信端末におけるアナログ通信の特定チャネルからデジタル通信の特定チャネルへ切替える場合の操作方法を示す図である。
【発明を実施するための形態】
【００１６】
以下、本発明の実施の形態について、詳細に説明する。
【実施例１】
【００１７】
図１は本発明の実施例１に係る無線通信端末１０の概略構成を示す外観構成図である。
無線通信端末１０は、前面側に表示部１１、チャネル変更以外の処理を指示する特定スイッチ１２、チャネルアップスイッチ１３、及びチャネルダウンスイッチ１４を備えている。また、無線通信端末１０には、側部に送信スイッチ１５が設けられ、上側に通信用アンテナ１６及び電源兼ボリュームスイッチ１７が設けられる。上記無線通信端末１０は、図示しないが、無線通信を行う無線通信部、キー入力信号を処理するキー入力処理部、スイッチ操作に応じてチャネル制御を行うチャネル制御部、表示部１１の表示制御を行う表示制御部等を備えている。
【００１８】
上記特定スイッチ１２は、特に何の機能を有するキーかは問わず、また、その設置位置も問わないが、短押下検出時の機能は有するが、長押下検出時の機能は持たないものであることが好ましい。特定スイッチ１２は、予め設定することより例えば予備（ＡＵＸ）スイッチあるいは他の任意のスイッチを使用することが可能である。  
上記チャネル制御部は、チャネルアップスイッチ１３、チャネルダウンスイッチ１４が単独で操作された場合には１チャネルずつチャネルアップ／チャネルダウンの処理を行い、特定スイッチ１２の長押下操作と、チャネルアップスイッチ１３、チャネルダウンスイッチ１４との組み合わせ操作が行われると、詳細を後述する通信種別変更処理及びチャネル変更高速化処理を実行する。
【００１９】
以下、無線通信端末にアナログ通信用チャネルが３５チャネル、デジタル通信用チャネルが６５チャネル（合計１００チャネル）実装された場合の具体的な処理動作について説明する。
この実施例１では、特定スイッチ１２を長押下し、その後、特定スイッチ１２を押下したままチャネルアップスイッチ１３あるいはチャネルダウンスイッチ１４を操作することによって［通信種別変更処理］を実行し、上記［通信種別変更処理］を行った後、上記特定スイッチ１２を押下したままチャネルアップスイッチ１３あるいはチャネルダウンスイッチ１４を操作することによって［チャネル変更高速化処理］を実行する。
【００２０】
［通信種別変更処理］
（Ａ）特定スイッチ１２の長押下を検出した後、チャネルアップスイッチ１３による最初の操作を検出した際、
(i)アナログ通信のチャネルに設定されている場合には、図２に示すようにデジタル通信の一番小さいチャネル（デジタルｃｈ１）へ遷移する。  
(ii)デジタル通信のチャネルに設定されている場合には、図３に示すようにアナログ通信の一番小さいチャネル（アナログｃｈ１）へ遷移する。
【００２１】
（Ｂ）特定スイッチ１２の長押下を検出した後、チャネルダウンスイッチ１４による最初の操作を検出した際、
(i)アナログ通信のチャネルに設定されている場合には、図４に示すようにデジタル通信の一番大きいチャネル（デジタルｃｈ６５）へ遷移する。  
(ii)デジタル通信のチャネルに設定されている場合には、図５に示すようにアナログ通信の一番大きいチャネル（アナログｃｈ３５）へ遷移する。
【００２２】
［チャネル変更高速化処理］
上記操作により通信種別の変更、すなわちアナログ通信とデジタル通信との間の変更が行われた後、特定スイッチ１２が継続して押下されている状態でチャネルアップスイッチ１３あるいはチャネルダウンスイッチ１４の操作を検出することで以下に示す処理を実行する。
【００２３】
（Ｃ）通信種別の変更後、特定スイッチ１２が継続して押下されている状態において、チャネルアップスイッチ１３の操作を検出した際、
(i)デジタル通信のチャネルに設定されている場合には、図６に示すようにデジタル通信のまま、チャネルの変更幅を１０チャネルに増幅してチャネルアップする。その後、同操作（チャネルアップ操作）が検出される毎に同処理を繰り返し、デジタル通信の最大チャネル（デジタルチャネル６５）でチャネル変更処理を停止する。  
(ii)アナログ通信のチャネルに設定されている場合には、図７に示すようにアナログ通信のまま、チャネルの変更幅を１０チャネルに増幅してチャネルアップする。その後、同操作（チャネルアップ操作）が検出される毎に同処理を繰り返し、アナログ通信の最大チャネル（アナログチャネル３５）でチャネル変更処理を停止する。
【００２４】
（Ｄ）通信種別の変更後、特定スイッチ１２が継続して押下されている状態において、チャネルダウンスイッチ１４の操作を検出した際、
(i)デジタル通信のチャネルに設定されている場合には、図８に示すようにデジタル通信のまま、チャネルの変更幅を１０チャネルに増幅してチャネルダウンする。その後、同操作（チャネルダウン操作）が検出される毎に同処理を繰り返し、デジタル通信の最小チャネルでチャネル変更処理を停止する。  
(ii)アナログ通信のチャネルに設定されている場合には、図９に示すようにアナログ通信のまま、チャネルの変更幅を１０チャネルに増幅してチャネルダウンする。その後、同操作（チャネルダウン操作）が検出される毎に同処理を繰り返し、アナログ通信の最小チャネル（アナログチャネル１）でチャネル変更処理を停止する。
【００２５】
上記のように特定スイッチ１２が長押下された状態でチャネルアップスイッチ１３またはチャネルダウンスイッチ１４によりチャネル変更操作がされた場合に、初めのチャネル変更操作検出でアナログ通信とデジタル通信の通信種別を切替えるものとし、２回目以降のチャネル変更操作検出で、チャネルの変更幅を増幅させ、より早いチャネル変更を可能とする。
【００２６】
図１０Ａは上記チャネル制御部における［通信種別変更処理］の動作を示すフローチャート、図１０Ｂは上記チャネル制御部における［チャネル変更高速化処理］の動作を示すフローチャートである。
チャネル制御部は、図１０Ａに示すように常に特定スイッチ１２が長押下されたかどうかをチェックしており（ステップＡ１）、特定スイッチ１２が長押下されず、チャネルアップスイッチ１３、チャネルダウンスイッチ１４が単独で操作された場合には、そのスイッチ操作に応じて１チャネルずつチャネルアップ／チャネルダウンの処理を行う。
【００２７】
そして、チャネル制御部は、上記ステップＡ１で特定スイッチ１２が長押下されたことを検出すると、次にチャネルアップ／ダウンの操作が行われたかどうか、すなわちチャネルアップスイッチ１３あるいはチャネルダウンスイッチ１４が操作されたかどうかをチェックし（ステップＡ２）、操作が行われていなければそのまま待機する。チャネルアップ／ダウンの操作が行われると、チャネルアップスイッチ１３とチャネルダウンスイッチ１４の何れが操作されたかを判定し（ステップＡ３）、チャネルアップスイッチ１３が操作された場合にはステップＡ４に進み、チャネルダウンスイッチ１４が操作された場合にはステップＡ５に進む。
【００２８】
上記ステップＡ４では、そのときアナログ通信とデジタル通信の何れが設定されているかを判定し、アナログ通信が設定されていると、デジタル通信の一番小さいチャネル（デジタルｃｈ１）へ遷移する（ステップＡ６）。また、ステップＡ４でデジタル通信が設定されていると判定された場合には、アナログ通信の一番小さいチャネル（アナログｃｈ１）へ遷移する（ステップＡ７）。
【００２９】
また、上記ステップＡ５では、そのときアナログ通信とデジタル通信の何れが設定されているかを判定し、アナログ通信が設定されていると、デジタル通信の一番大きいチャネル（デジタルｃｈ６５）へ遷移する（ステップＡ８）。また、ステップＡ５でデジタル通信が設定されていると判定された場合には、アナログ通信の一番大きいチャネル（アナログｃｈ３５）へ遷移する（ステップＡ９）。
【００３０】
上記ステップＡ６〜Ａ９の処理によりアナログ通信とデジタル通信の通信種別を変更する。次に図１０Ｂに示す処理を実行する。つまり、特定スイッチ１２が未だ継続して押下されているかどうかを判定し（ステップＡ１０）、特定スイッチ１２が押下されていなければ通信種別の変更処理を終了するが、特定スイッチ１２が未だ継続して押下されている場合にはチャネルアップスイッチ１３あるいはチャネルダウンスイッチ１４が操作されたかどうかをチェックし（ステップＡ１１）、操作が行われていなければそのまま待機する。操作が行われた場合にはチャネル変更の高速化処理に進む。
【００３１】
このチャネル変更の高速化処理では、まず、チャネルアップ／ダウンの何れが操作されたかを判定し（ステップＡ１２）、チャネルアップスイッチ１３が操作された場合にはそのときアナログ通信とデジタル通信の何れが設定されているかを判定する（ステップＡ１３）。
【００３２】
デジタル通信が設定されている場合は、デジタル通信のまま、チャネル変更幅を１０チャネルに増幅してチャネルアップする（ステップＡ１４）。上記ステップＡ１４の処理によりデジタル通信の最大チャネル（デジタルｃｈ６５）に達したかどうかを判定し（ステップＡ１５）、最大チャネルに達していなければステップＡ１０に戻り、最大チャネルをオーバーした場合には、デジタル通信の最大チャネルを設定し（ステップＡ１６）、ステップＡ１０に戻る。以下、特定スイッチ１２が継続して押下されている間、同様にチャネルアップスイッチ１３の操作が行われる毎にステップＡ１０〜Ａ１６の処理が繰り返され、１０チャネルずつチャネルアップされる。
【００３３】
また、ステップＡ１３でアナログ通信が設定されていると判定された場合には、ステップＡ１７に進み、アナログ通信のまま、チャネル変更幅を１０チャネルに増幅してチャネルアップする。上記ステップＡ１７の処理によりアナログ通信の最大チャネル（アナログｃｈ３５）に達したかどうかを判定し（ステップＡ１８）、最大チャネルに達していなければステップＡ１０に戻り、最大チャネルをオーバーした場合には、アナログ通信の最大チャネルを設定し（ステップＡ１９）、ステップＡ１０に戻る。以下、特定スイッチ１２が押下されている間、同様にチャネルアップスイッチ１３の操作が行われる毎にステップＡ１０〜Ａ１３、Ａ１７〜Ａ１９の処理が繰り返され、１０チャネルずつチャネルアップされる。
【００３４】
また、ステップＡ１２でチャネルダウンスイッチ１４が操作されたと判定された場合にはステップＡ２０に進み、そのときアナログ通信とデジタル通信の何れが設定されているかを判定する。
ステップＡ２０でデジタル通信が設定されていると判定された場合は、デジタル通信のまま、チャネル変更幅を１０チャネルに増幅してチャネルダウンする（ステップＡ２１）。上記ステップＡ２１の処理によりデジタル通信の最小チャネル（デジタルｃｈ１）に達したかどうかを判定し（ステップＡ２２）、最小チャネルに達していなければステップＡ１０に戻り、最小チャネルをオーバーした場合には、デジタル通信の最小チャネルを設定し（ステップＡ２３）、ステップＡ１０に戻る。以下、特定スイッチ１２が継続して押下されている間、同様にチャネルダウンスイッチ１４の操作が行われる毎にステップＡ１０〜Ａ１２、Ａ２０〜Ａ２３の処理が繰り返され、１０チャネルずつチャネルダウンされる。
【００３５】
また、ステップＡ２０でアナログ通信が設定されていると判定された場合には、ステップＡ２４に進み、アナログ通信のまま、チャネル変更幅を１０チャネルに増幅してチャネルダウンする。上記ステップＡ２４の処理によりアナログ通信の最小チャネル（アナログｃｈ１）に達したかどうかを判定し（ステップＡ２５）、最小チャネルに達していなければステップＡ１０に戻り、最小チャネルをオーバーした場合には、アナログ通信の最小チャネルを設定し（ステップＡ２６）、ステップＡ１０に戻る。以下、特定スイッチ１２が継続して押下されている間、同様にチャネルダウンスイッチ１４の操作が行われる毎にステップＡ１０〜Ａ１２、Ａ２０、Ａ２４〜Ａ２６の処理が繰り返され、１０チャネルずつチャネルダウンされる。
【００３６】
上記実施例１によれば、特定スイッチ１２とチャネルアップスイッチ１３あるいはチャネルダウンスイッチ１４との組み合わせ操作によって通信種別を変更することにより、どのチャネルからでも通信種別の切替えを簡易操作で実現することができる。
また、通信種別の変更を行った後、特定スイッチ１２を継続して押下している状態で、チャネルアップスイッチ１３あるいはチャネルダウンスイッチ１４が操作された場合に、チャネルの変更幅を１０チャネルに増幅してチャネルアップあるいはチャネルダウン処理することにより、希望のチャネルへの操作回数を大幅に減らすことができる。
【００３７】
図１１は、アナログ通信の最小チャネル（アナログｃｈ１）からデジタル通信の１６チャネル（デジタルｃｈ１６）に切替える場合の操作例を示したものである。この場合、まず特定スイッチ１２を長押下したままチャネルアップスイッチ１３を２回操作し、その後、チャネルアップスイッチ１３を単独で５回操作する。
【００３８】
上記のように特定スイッチ１２を長押下したままチャネルアップスイッチ１３を１回操作すると、アナログｃｈ１からデジタルｃｈ１に通信種別が変更される。次に特定スイッチ１２を押下したままチャネルアップスイッチ１３を操作すると、チャネル変更幅が１０チャネルとなり、デジタルｃｈ１からデジタルｃｈ１１に遷移する。このデジタルｃｈ１１の状態から特定スイッチ１２は操作せず、チャネルアップスイッチ１３だけを単独で５回操作すると、デジタルｃｈ１６にチャネルアップされる。この結果、５回のスイッチ操作でアナログｃｈ１からデジタルｃｈ１６に切替えることができる。すなわち、アナログｃｈ１からデジタルｃｈ１６に切替える場合に、従来では図１４で説明したように５０回必要としたチャネル操作回数を７回に減らすことができる。また、その他の任意のチャネルに変更する場合であっても、チャネル操作回数を大幅に減らすことができる。
【００３９】
なお、上記実施例１では、無線通信端末にアナログ通信用チャネルが３５チャネル、デジタル通信用チャネルが６５チャネル実装された場合について説明したが、その他のチャネル数に設定する場合においても、同様にして実施し得るものである。
また、上記実施例１では、チャネル変更の高速化処理において、チャネルの変更幅を１０チャネルに設定した場合について説明したが、チャネルの変更幅を１０チャネル以外の値に設定することも可能である。
【００４０】
さらに、上述した実施例１では、通信チャネルの変更を行う操作部としてチャネルアップスイッチ１３及びチャネルダウンスイッチ１４を例にあげて説明した。しかし、本発明はこれに限定されるものではなく、本発明において通信チャネルの変更を行う操作部は、チャネルアップまたはチャネルダウンのためのいずれか一方のスイッチであってもよい。
【００４１】
また、上述した実施例１では、特定スイッチ１２が長押しされた状態でチャネルアップスイッチ１３またはチャネルダウンスイッチ１４が操作されると、アナログ通信／デジタル通信を切替えるとともにチャネル変更の高速化処理を行う例をあげて説明した。しかし、本発明において、アナログ通信／デジタル通信の切り替え処理やチャネル変更の高速化処理を行う操作はこれに限定されるものではなく、少なくともチャネルアップスイッチ１３またはチャネルダウンスイッチ１４と特定スイッチ１２とが同時に操作されると、かかる処理が行われる。例えば、先にチャネルアップスイッチ１３またはチャネルダウンスイッチ１４が操作されている状態で特定スイッチ１２が操作された場合や、同時に操作された場合にかかる処理が行われる。
【００４２】
また、本発明は、上記実施の形態そのままに限定されるものではなく、実施段階ではその要旨を逸脱しない範囲で構成要素を変形して具体化できるものである。
【符号の説明】
【００４３】
１１…表示部、１２…特定スイッチ、１３…チャネルアップスイッチ、１４…チャネルダウンスイッチ、１５…送信スイッチ、１６…通信用アンテナ、１７…電源兼ボリュームスイッチ。
【図１】
2011223522.tif 000003
【図２】
2011223522.tif 000004
【図３】
2011223522.tif 000005
【図４】
2011223522.tif 000006
【図５】
2011223522.tif 000007
【図６】
2011223522.tif 000008
【図７】
2011223522.tif 000009
【図８】
2011223522.tif 000010
【図９】
2011223522.tif 000011
【図１０Ａ】
2011223522.tif 000012
【図１０Ｂ】
2011223522.tif 000013
【図１１】
2011223522.tif 000014
【図１２】
2011223522.tif 000015
【図１３】
2011223522.tif 000016
【図１４】
2011223522.tif 000017